(57)【要約】【課題】網戸の網面に、殺虫剤や消臭剤等を含有するケース等の機能性物体を取り付けるために用いられる取付け具であり、機能性物体側に取り付けられたループ面ファスナーのループ状係合素子と、網面を挟んで反対側に存在する取付け具が容易に網面を貫通して強固に係合することにより、高い係合力が得られる。【解決手段】取り付け具が、基板と同基板表面から突出する多数の係合素子からなり、同係合素子が、基板表面から突出するステムと同ステムから側部に突出し、かつステム高さ方向に並んで２段以上存在する係合用突起からなり、好ましくはステムから突出する各段の係合突起の突出長がほぼ同一であり、さらにステムの茎幅が基板表面から最頂部に行くにしたがって係合突起が存在する段毎に細くなっている網戸用取付け具。【選択図】図４
2014185500.tif 000002
【特許請求の範囲】
【請求項１】
網戸の網面に機能性物体を取り付けるための取付け具であって、同取り付け具が、熱可塑性樹脂製の基板と同基板表面から突出する同樹脂製の多数の係合素子からなり、同係合素子が、基板表面から突出するステムと同ステムから側部に突出し、かつステム高さ方向に並んで複数段存在する係合用突起からなることを特徴とする網戸用取付け具。
【請求項２】
ステムを挟んで対象方向に係合突起がステムから突出し、係合突起が突出する方向と交わる方向に係合素子が列をなして並んで存在しており、そして係合素子列方向には係合突起は突出していない請求項１に記載の網戸用取付け具。
【請求項３】
係合素子が、ステム高さ方向に２段以上の係合突起を有し、かつステムから突出する各段の係合突起の突出長がほぼ同一であり、さらにステムの茎幅が基板表面から最頂部に行くにしたがって係合突起が存在する段毎に細くなっている請求項１または２に記載の網戸用取付け具。
【請求項４】
ステム高さ方向の係合突起間の距離（Ｚ）が０．２〜１．５ｍｍであり、ステムから突出する各段の係合突起の突出長（Ｓ１）が０．０５〜０．３ｍｍである請求項１〜３のいずれかに記載の網戸用取付け具。
【請求項５】
ステムの高さ（Ｈ）が１．０〜３．５ｍｍであり、基板に近い１段目の係合突起が存在している箇所のステム幅（Ｄ１）が０．３〜０．７ｍｍであり、２段目以降の係合突起が存在している箇所のステム幅が直下のステム幅よりも０．０５〜０．２ｍｍ狭い請求項１〜４のいずれかに記載の網戸用取付け具。
【請求項６】
基板上に１０〜４０個／ｃｍ２の密度で係合素子が存在している請求項１〜５のいずれかに記載の網戸用取付け具。
【請求項７】
網面に取り付ける物体が、防虫剤、消臭剤および芳香剤の少なくともいずれか１つを含むケースまたはシートからなる機能性物体である請求項１〜６のいずれかに記載の網戸用取付け具。
【請求項８】
網面に取り付ける物体が、装飾用シートまたは装飾用機器からなる機能性物体である請求項１〜６のいずれかに記載の網戸用取付け具。
【請求項９】
請求項１〜８のいずれかに記載の網戸用取付け具の係合素子を網戸の網面を貫通させ、網面を挟んで反対側に存在しているループ状係合素子を有する面ファスナーのループ状係合素子と係合させることにより機能性物品が網戸に固定されるようにした、網戸取付け具とループ状係合素子を有する面ファスナーからなる網戸取付け具セット。  
【発明の詳細な説明】
【技術分野】
【０００１】
本発明は、網戸の網面に、例えば殺虫剤を含むケースやシート等を取り付けて、網戸による虫の侵入阻止とともに、網戸に取り付けた防虫剤により虫が網戸に近づくことを防止するために用いられたり、または網戸の網面に芳香剤を含むケースやシート等を取り付けて、外部から室内に入ってくる風に芳香を与えるために用いられたり、さらには網戸の網面に装飾を施すために装飾品を取り付けて、網戸に模様を付与するために用いられる等の、すなわち網戸の網面に薬剤含有ケースやシート、あるいは装飾品等を取り付けるために用いられる取付け具に関する。
【背景技術】
【０００２】
従来から、防虫剤を含有するシートやケースを網戸の網面に面ファスナーを用いて取り付けることは公知である。この取り付け方法は、防虫剤含有シートやケースの裏面に一方の面ファスナー（例えばフック状係合素子を有する面ファスナー）を貼り付け、これを網戸の網面に押し付け、網面の反対側の面からもう一方の面ファスナー（例えばループ状係合素子を有する面ファスナー）を押し付けて、網面を挟んで両方の面ファスナーを係合させて防虫剤含有シートやケースを網戸に取り付けるものである（特許文献１）。そして、このような公知技術を用いた網戸固定用防虫剤が現在販売されている。
【０００３】
しかしながら、この網面を挟んで両方の面ファスナーを係合させて網戸に固定する技術の場合には、機能性物体裏面に取り付けられたフック面ファスナーとループ面ファスナーの中間に存在する網面に遮られて、両方の面ファスナーが十分に近づくことが難しく、期待したほども係合力が得られず、自然に或いは網戸の開け閉めの振動や風による振動等により係合が外れて防虫剤シートやケースが脱落するという欠点を有している。
【０００４】
より詳細に説明すると、網面の両面に存在する面ファスナーが係合するためには、一方の係合素子が網戸の網面を貫通して他の面ファスナーの係合素子面まで到達することが必要であるが、従来の一般に市販されている面ファスナーでは網面に遮られて、係合力が発現するに充分な数の係合素子が網面を貫通することが難しく、高い係合力が得られない。高い係合力が得られない場合には、重量のある物体を網戸の網面に取り付けることができず、あるいは取り付けたとしても、時間の経過や網戸やガラス戸の開け閉め時の振動等により係合が外れて、取り付けた物体が脱落するということが生じる。
【０００５】
また、網戸の網面に殺虫剤含有ケース等を取り付ける取り付け具として、基板およびその表面から突出する一対の棒状体素子からなり、該棒状体素子の間隔が中間部で一旦広くなり、根元部および先端部で狭くなっている、あるいはその逆の間隔を有している取り付け具が公知である（特許文献２）。
【０００６】
この取り付け具の場合には、網戸を挟んで留める必要がないことから、上記特許文献１の場合のような問題点を有しないが、その反面、一対の棒状体素子の一方が網面を十分貫通できない場合には、係止力が殆ど得られず、さらに棒状体として硬くて太く、かつ長いものが用いられることが多く、貫通した棒状体の先端に網面から垂直に突出していることから人体が先端部に接触すると場合により人体に傷を与える場合がある等の問題点を有している。
【先行技術文献】
【特許文献】
【０００７】
【特許文献１】特開２０１１−１９０６０４号公報
【特許文献２】特開２０１１−０５８１６６号公報
【発明の概要】
【発明が解決しようとする課題】
【０００８】
本発明は、上記した面ファスナーや取付け具を用いる公知技術の問題点を解消するものであり、具体的には、機能性物体側に取り付けられた面ファスナーの係合素子が容易に網面を貫通して網面を挟んで反対面に存在しているループ状面ファスナーと強固に係合することにより、高い係合力と人体に対する安全性が得られる取付け具及びそれを用いた取付け具セットである。
【課題を解決するための手段】
【０００９】
すなわち、本発明は、網戸の網面に機能性物体を取り付けるための取付け具であって、同取り付け具が、熱可塑性樹脂製の基板と同基板表面から突出する同樹脂製の多数の係合素子からなり、同係合素子が、基板表面から突出するステムと同ステムから側部に突出し、かつステム高さ方向に並んで複数段存在する係合用突起からなることを特徴とする網戸用取付け具である。
【００１０】
そして好ましくは、本発明は、このような物体を取り付けるための取付け具において、ステムを挟んで対象方向に係合突起がステムから突出し、係合突起が突出する方向と交わる方向に係合素子が列をなして並んで存在しており、そして係合素子列方向には係合突起は突出していない場合であり、また係合素子が、ステム高さ方向に２段以上の係合突起を有し、かつステムから突出する各段の係合突起の突出長がほぼ同一であり、さらにステムの茎幅が基板表面から最頂部に行くにしたがって係合突起が存在する段毎に細くなっている場合である。
【００１１】
そして好ましくは、本発明は、上記の物体を取り付けるための取付け具において、ステム高さ方向の係合突起間の距離（Ｚ）が０．２〜１．５ｍｍであり、ステムから突出する各段の係合突起の突出長（Ｓ１）が０．０５〜０．３ｍｍである場合であり、またステムの高さ（Ｈ）が１．０〜３．５ｍｍであり、基板に近い１段目の係合突起が存在している箇所のステム幅（Ｄ１）が０．３〜０．７ｍｍであり、２段目以降の係合突起が存在している箇所のステム幅が直下のステム幅よりも０．０５〜０．２ｍｍ狭くなっている場合であり、また１０〜４０個／ｃｍ２の密度で係合素子が存在している場合である。
【００１２】
そして本発明は、網面に取り付ける物体が防虫剤、消臭剤および芳香剤の少なくともいずれか１つを含むケースまたはシートからなる機能性物体である上記取り付け具であり、また、本発明は、網面に取り付ける物体が装飾用シートまたは装飾用機器からなる機能性物体である上記の取付け具である。
【００１３】
また、本発明の網戸の網面に取り付ける機能性物体は、上記した防虫剤、消臭剤および芳香剤等を含むケースやシート以外にも、装飾用シートや装飾用機器等で代表される装飾用品や、例えば、生活雑貨等で代表される日用品が挙げられる。また、本発明の網戸とは、一般的に窓や扉に設置される網戸以外に、網面を有する仕切りや窓や扉等も含む。
【００１４】
また本発明は、上記の網戸用取付け具の係合素子を網戸の網面を貫通させ、網面を挟んで反対側に存在しているループ状係合素子を有する面ファスナーのループ状係合素子と係合させることにより機能性物品が網戸に固定されるようにした、上記の網戸取付け具とループ状係合素子を有する面ファスナーからなる網戸取付け具セットである。
なお、機能性物品は上記網戸用取付け具の方でもループ状係合素子を有する面ファスナーの方でもいずれに固定しても良い。
【発明の効果】
【００１５】
本発明の網戸用取付け具では、係合突起がステム高さ方向に複数段存在しており、網面を係合素子が一度貫通すると係合突起が複数段存在していることから、網面から抜けにくく、かつループ状係合素子と係合し易く、その結果高い係合力が得られる。そして好ましくは、基板表面から突出するステムの茎幅が基板表面から最頂部に向かい細くなっていることにより、ステム先端、すなわち係合素子先端を網面に容易に貫通させることができ、また、網目の細かい網から網目の粗い網まで容易に貫通することができることから、網目の細かい網戸から粗い網戸まで使用可能であり、そして好ましくはステムから突出する係合突起の突出長が各段ともほぼ同一であることから、網面から係合素子を引き抜く際、すなわち機能性物体を網面から取り外す際に網面に過度の損傷を与えない。
【００１６】
したがって、本発明の網戸取り付け具を用いると、細い先端部が網目を貫通でき高い係合力を得ることができ、そして取り付ける機能性物体がある程度の重量を有するものであっても簡単かつ強固に網戸の網に取り付けられることができ、さらに取り付ける必要がなくなった場合や取り付けた機能性物体が機能を喪失した場合には速やかに取り外すことができ、しかも取り付けることや取り外すことにより、網戸の網を構成するモノフィラメントを傷つけることがない。
【図面の簡単な説明】
【００１７】
【図１】本発明の網戸用取付け具の一例を示す斜視図である。
【図２】本発明の網戸用取付け具の一例を図１に示すY方向から見た側面図である。
【図３】本発明の網戸用取付け具を構成する係合素子の一例を図１に示すX方向から見た図である。
【図４】本発明の網戸取付け具セットの一例を用いて機能性物体を網戸の網面に取り付けた場合の断面図である。
【図５】本発明の網戸取付け具を構成する係合素子の他の好適な一例を図１に示すX方向から見た図である。
【発明を実施するための形態】
【００１８】
次に、図面に基づき本発明を説明する。
本発明の網戸用取付け具は、図１に示すように、熱可塑性樹脂からなる基板（１）とその表面に突出する同樹脂からなる多数の係合素子（２）から構成される。基板（１）の厚さとしては０．１〜１．０ｍｍが好ましい。
【００１９】
基板および係合素子を形成する熱可塑性樹脂としては、ポリエチレン、ポリプロピレン等のポリオレフィン系樹脂、ナイロン６やナイロン６６等のナイロン系樹脂、ポリエチレンテレフタレート、ポリブチレンテレフタレート、ポリ乳酸等のポリエステル系樹脂、エチレン−ビニルアルコール共重合体等の延伸可能な樹脂が好適な例として挙げられる。
【００２０】
係合素子（２）は、図１に示すように、基板表面から突出するステムと同ステムから側部に突出し、かつステム高さ方向に並んで複数段存在する係合用突起からなっている。そして好ましくは、図１に示すように、基板（１）上に、係合素子の係合突起が突出している方向に対して交差する方向（図１ではＸ方向）に、多数の係合素子が並列に列をなして並んでおり、さらにこのような係合素子列が基板上に平行に複数列（図１では２列）存在しており、そして個々の係合素子では、係合突起が２段以上が好ましく、係合突起を形成することができれば上限は特に制限は無いが５段以下が好ましく４段以下がより好ましく、さらに好ましくは、図３や図５に示すように係合突起の段数が２段または３段構造であり（図３では３段、図５では２段）、いわゆるクリスマスツリー型の形状となっている。
【００２１】
本発明の網戸用取付け具の基板（１）の裏面（ステムと反対側の面）、またはループ状係合素子を有する面ファスナーの裏面には、例えば図４に示すように、防虫剤や芳香剤、またはこれらを内有する箱体や包装体等の機能性物体（３）が一体化されている。図４は、（４）の網戸の網を構成しているモノフィラメントを挟んで、本発明の網戸取付け具の一例とループ状係合素子を有する面ファスナーが取り付けられている状態を示しており、網戸用取付け具の係合素子列方向（Ｘ方向）に直交する面（Ｙ方向）での断面図である。
【００２２】
本発明の網戸用取付け具の基板（１）の裏面（ステムと反対側の面）、またはループ状係合素子を有する面ファスナーの基布（５）の裏面に上記したような機能性物体（３）を取り付ける方法としては、接着剤、粘着材、面ファスナー、ホッチキス、縫製あるいは基板裏面に取り付けたフック等を物体裏面に取り付けた穴等に差し込む等のいずれの方法であってもよい。
【００２３】
取り付ける機能性物体（３）としては、上記した防虫剤、芳香剤、消臭剤、またはこれらを内在させたシートや瓶や缶や箱体等のケース等の他に、室内装飾用の飾り（クリスマスツリーに付ける飾りのようなもの）等、遮光調整シート、さらに網戸に模様を付与するための模様付きシート、電飾品等で代表される装飾用シートまたは装飾用器具等の装飾品や生活雑貨等で代表される日用品が挙げられる。
【００２４】
本発明の取付け具を構成する係合素子のサイズに関しては、係合素子の最頂部と基板表面の距離、すなわち図１〜３に示すステム高さ（Ｈ）として１．０〜３．５ｍｍの範囲が好ましく、この範囲より短いと網面を貫通しても十分な係合を得ることが難しく、またこの範囲より長すぎるとこれまたステムが倒れ易く網面を貫通させるのが難しくなり、機能性物体が外れ易くなる。より好ましくは、１．２〜３．０ｍｍの範囲である。
【００２５】
またステムの高さ方向の係合突起先端部間の距離（図３や図５で示すＺ）としては０．２〜１．５ｍｍの範囲が係合力の点で好ましい。より好ましくは、０．３〜１．１ｍｍの範囲である。
【００２６】
ステムから側面に突出する各係合突起の突出長はほぼ同じ寸法であることが上記したように、取り外す際に網を構成するモノフィラメントを傷めないことから好ましく、係合突起の突出長（図３で示すＳや図５で示すＳ１）が０．０５〜０．３ｍｍの範囲であることが好ましい。より好ましくは、０．０７ｍｍ〜０．２５ｍｍの範囲、さらに好ましくは０．０９〜０．２ｍｍの範囲である。
【００２７】
ステムから突出する各係合突起の突出長（図３で示すＳや図５で示すＳ１）が、０．０５ｍｍより短い場合には、ループ状係合素子を有する面ファスナーと高い係合力が得られ難く、またこの範囲より長い場合は網面を貫通させるのが難しくなり、機能性物体が外れ易くなる。
【００２８】
また、本発明の取付け具において、ステムの茎幅（図３や図５で示すＤ１〜Ｄ３）が基板表面から最頂部に行くにしたがって係合突起が存在する段毎に細くなっているのが好ましく、基板に近い１段目の係合突起が存在している箇所のステム幅に対して２段目以降の係合突起が存在している箇所のステム幅が直下のステム幅よりも０．０５〜０．２ｍｍ狭いものがより好ましく、具体的に係合突起が３段の場合には、基板に最も近い１段目の係合突起が存在している箇所のステム幅（Ｄ１）が０．３〜０．７ｍｍであり、２段目の係合突起が存在している箇所のステム幅（Ｄ２）がＤ１より０．０５〜０．２ｍｍ狭く、３段目の係合突起が存在している箇所のステム幅（Ｄ３）がＤ２より０．０５〜０．２ｍｍ狭くなっているのが好ましい。
【００２９】
１段目のステム幅（Ｄ１）が上記範囲より狭い場合には十分な係合力が得られず、またこの範囲より広い場合にはこれまた網面を貫通させることが難しく、機能性物体が外れ易くなる。さらにＤ２とＤ３の幅が上記範囲の場合には、係合素子が倒れ難く、あるいは各種の網目の網戸に対して貫通できる能力が向上し、係合力も向上する。
【００３０】
また係合突起は、図に示すように、ステム（茎）を挟んで対象方向に突出し、そして係合突起が突出する方向と交わる方向に係合素子が列をなして並んで存在しており、そして係合素子列方向には係合突起は突出していないのが、網戸の網目に挿入し易く、かつ取り外す際に網を形成するモノフィラメントや係合素子を傷つけないことから好ましい。さらに係合素子が列をなして並んでいることにより、ループ状係合素子を有する面ファスナーと高い係合力が得られ、機能性物体が重量あるものであっても取り付けることが可能となる。
【００３１】
そして、ステムの列方向厚さ（図２に示すＷ）としては０．１〜０．５ｍｍが好ましく、この範囲より薄い場合には、係合素子の強度が低く、またこの範囲より厚い場合には、係合素子が網目を貫通することが難しくなる。
【００３２】
本発明の網戸用の取付け具は、前記したように、係合素子が、基板表面から突出するステムと、同ステムから側部に突出しかつステム高さ方向に並んで複数段存在する係合用突起からなることが必要であり、複数段存在することにより、網戸を貫通したあとの係合力が格段に向上し、さらに網目の異なる網戸に対応可能となる。好ましくは２段以上存在し、、係合突起を形成することができれば上限は特に制限は無いが５段以下が好ましく４段以下がより好ましく、さらに好ましくは、図３や図５に示すように係合突起の段数が２段または３段構造である場合である。
【００３３】
係合素子列方向の係合素子間距離（図２に示すＳ２）としては、０．１〜２．０ｍｍが好ましく、この範囲より狭い場合には、係合素子が網目に貫通し難く、逆にこの距離より広い場合には、係合素子密度が低くなり、ループ状係合素子を有する面ファスナーとの高い係合力が得られない。
【００３４】
さらに本発明では、ステム列が複数列並列に基板上に存在していることが好ましい。複数列並列に存在することにより、ループ状係合素子を有する面ファスナーのループがより多く係合し、高い係合力が得られ、取り付け状態が安定し、機能性物体の重量を分散して網面に保持することができる。
【００３５】
さらに係合素子密度としては、係合素子が存在している基板部分の基板１ｃｍ２当たり１０〜４０個が好ましく、この範囲よりも少ない場合には、ループ状係合素子との十分な係合力を得られず、面積の大きい取り付け具を使用することが必要となり、機能性物体が小さい容器等の場合には不自然となり、逆にこの範囲より多い場合には、係合素子が網面を貫通し難く網目を痛めてしまうこととなる。より好ましくは、係合素子密度が１５〜３５個／ｃｍ２の範囲の場合である。
【００３６】
本発明の網戸用の取付け具において、係合素子列１ｃｍ当たり３〜２０本の係合素子が存在しており、そしてこのような係合素子列が取り付け具の長さ１ｃｍ当たり３〜８列存在しているのが、網戸の網目への挿入性やループ状係合素子との係合力の点で好ましい。より好ましくは係合素子列１ｃｍ当たり５〜１５本の係合素子が存在しており、そのような係合素子列が取付け具１ｃｍ当たり４〜７列存在している場合である。
【００３７】
次に、本発明の網戸用取付け具の製造方法について説明する。
図１、図３及び図５に示すような形状であれば公知の雄型係合素子付き面ファスナーの製造方法が採用可能であるが、好適な一例を挙げれば、まず図１のＸ方向から見た形状で示すように、あるいは図３や図５の係合素子断面が複数並んだ状態で示すようなスリットを有するノズルから、熱可塑性樹脂を溶融押出しし、基板の表面にテープ長さ方向に連続している係合素子列条を複数列有するテープを成形する。次に、得られたテープの表面に存在する該列条に小間隔で列条の先端から付け根付近までテープ長さ方向と交わる方向に切れ目を入れる。切れ目の間隔としては０．１〜２．０ｍｍが適切である。
【００３８】
次いで、テープを長さ方向に延伸する。延伸倍率としては、延伸後のテープ長さが元のテープの長さの２．０〜５．０倍となる程度が好ましい。この延伸により、列条に入れられた切れ目が広がり、列条が、独立した多数の係合素子からなる係合素子列となる。
このようにして得られた延伸テープを長さ方向に直角に切断すると本発明の網戸用取り付け具が得られる。
【００３９】
次に、本発明の網戸用取付け具とセットで用いられるループ状係合素子を有する面ファスナーについて説明すると、このようなループ状係合素子を有する面ファスナーとしては、マルチフィラメント糸が基布上にループを形成している面ファスナーが好ましい。基布を織る段階で、ループを構成するマルチフィラメント糸を基布に織り込むと同時にループとなるように、基布上にマルチフィラメント糸からなるループ状の浮き上がりを形成する。ループ状係合素子は、ループ状係合素子を構成するマルチフィラメント糸の一部のフィラレントがループからより引き出されたり、マルチフィラメント束が乱れた構造を有するように、ループ面ファスナーの表面を乱しているのが好ましい。
【００４０】
本発明で取り付ける対象の網戸に関しては特に限定されないが、現在一般に１８〜３０メッシュのものが用いられており、本発明の網戸の網面に物体を取り付けるための取付け具が対象とする網戸としては、この一般的な網目が１８〜３０メッシュのものが好適である。そして、網戸の網目を構成しているモノフィラメントの直径が０．１２〜０．３５ｍｍであるものが好適である。
【００４１】
モノフィラメントは合成繊維、あるいは金属繊維やガラス繊維の表面を樹脂コートしたものでもよい。一般に網戸を構成する網目としては経糸織密度と緯糸織密度を同一とした平織構造体が用いられる。
【００４２】
本発明の取付け具を用いて機能性物体を網戸の網面に取り付ける際には、雨により機能性物体が濡れることを少しでも軽減するために、室内側に機能性物体を取り付けるのが好ましい。また、外部からの視覚を重視する場合には、室外側に取り付けても構わない。その際には、取り付けたことにより、ガラス戸の開閉が妨げられないように、取り付け物の厚みは合計で２０ｍｍ以内とするのが好ましい。
【００４３】
本発明の取付け具の大きさとしては、縦×横で１．０ｃｍ×１．０ｃｍ〜５ｃｍ×５ｃｍの大きさが適当である。もちろん、取り付け物の大きさや重さ形状等により取り付けるための取付け具を複数用いてもよい。
【００４４】
本発明の網戸用の取付け具は、前記したように、網戸の網面に機能性物体を取り付けるために用いられるものであり、具体的には、殺虫剤や防虫剤等を含むケースやシート、消臭剤や芳香剤を含有するケースやシート、装飾用品や電飾品等で代表される機能性物体を網戸に取り付けるのに用いられる。これら以外にも、網戸に日用品等の物体を取り付ける際の取付け具として使用できる。
【実施例】
【００４５】
以下、本発明を実施例により説明するが、本発明はこれら実施例に限定されるものではない。
【００４６】
なお、実施例中の係合力（面直剥離強力）は、網戸用取り付け具とマルチフィラメントからなるループ状係合素子を有する面ファスナー（クラレファスニング（株）製Ｂ９７５１Ｙ）をそれぞれ２５ｍｍ角にカットし、このカットした面ファスナーをプラスチック板（厚さ５ｍｍ・重さ２０ｇ）に両面テープにて貼り付けた状態で網戸用の各種網（１８メッシュ、２０メッシュ、２４メッシュ、３０メッシュ）を挟んで網戸用取付け具を押し当て係合させ、網面の面直方向にオートグラフ（SHIMADZU社製）にて引張り速度３００ｍｍ/分で引張ったときの面直剥離強力である。（以下、この測定方法をクラレファスニング法と称す。）
【００４７】
なお、実施例中の網戸の網への取り付け易さは、２５ｍｍ角にカットされた取り付け具を網戸用の各種網（１８メッシュ、２０メッシュ、２４メッシュ、３０メッシュ）に手で押し当てたときの挿入のし易さを以下の基準で官能評価したものである。
（網戸の網面への挿入性の順位）
Ａ：極めて挿入し易い（ほとんど抵抗なく挿入できる）。
Ｂ：挿入し易い（若干の抵抗を感じるが、力を加えることにより簡単に挿入できる）。
Ｃ：挿入し難い（抵抗が高く、かなり力を加えても挿入し難い）。
【００４８】
なお、実施例中の網面からの取り外し易さは、２５ｍｍ角にカットされた取付け具を網戸用の網（１８メッシュ、２０メッシュ、２４メッシュ、３０メッシュ）に手で押し当て、係合突起が各段数存在する係合素子の根本まで網面に貫通させた後、取付け具を網面から引き剥がしたときの外し易さを官能評価したものである。
（網面からの取り外し易さの順位）
Ａ：極めて外し易い（取付け具を網目からめくり取るようにすることで簡単に外すことができる）
Ｂ：外し易い
Ｃ：外し難い（外す際に網目を構成するモノフィラメントが破断される可能性あり）
【００４９】
なお、実施例中の耐久性は取り付け具とマルチフィラメント糸からなるループ状係合素子を有する面ファスナー（クラレファスニング（株）製：Ｂ９７５１Ｙ）をそれぞれ２５ｍｍ角にカットし、ループ状係合素子を有する面ファスナーをプラスチック板（厚さ５ｍｍ・重さ２０ｇ）に両面テープにて貼り付けた状態で網戸用の各網面（１８メッシュ、２０メッシュ、２４メッシュ、３０メッシュ）を挟んで取り付け具を押し当て係合させ、１ヶ月放置したものである。
（物体を取り付けたときの耐久性の判定）
○：脱落なし
× ：脱落あり
【００５０】
実施例１
ポリエチレンテレフタレート樹脂を溶融押出し、冷却して基板の表面から突出する係合素子の断面形状を有し、係合素子が図１に示すような３段構造の係合突起を有し、かつテープ長さ方向に連続している係合素子用列条が基板上に存在しているテープを成形した。そして該テープの係合素子用列条の先端から根元までカット角度０度（すなわちテープ長さ方向に直角）で等間隔で切れ目を入れ、そしてテープを長さ４．４倍に延伸し取付け具（雄型係合素子を有する面ファスナー）を製作した。
【００５１】
得られた取り付け具のステム高さ（Ｈ）は２．３ｍｍ、ステムの高さ方向の係合突起先端部間の距離（Ｚ）は０．５ｍｍ、係合突起の突出長（Ｓ１）は０．１２ｍｍ、１段目のステム幅（Ｄ１）は０．６ｍｍ、２段目のステム幅（Ｄ２）はＤ１より０．１ｍｍ狭く、３段目のステム幅（Ｄ３）はＤ２より０．１ｍｍ狭く、さらにステムの列方向長さ（Ｗ）は０．３ｍｍ、係合素子列方向の係合素子間の距離（Ｓ２）は１．０ｍｍ、係合素子密度は２４個／ｃｍ２で、係合素子列１ｃｍ当たりの係合素子本数としては８本／ｃｍ、１ｃｍ当たりの係合素子列本数は３本／ｃｍである。
【００５２】
一方、ループ状係合素子を有する面ファスナーをプラスチック板（厚さ５ｍｍ・重さ２０ｇ）に両面テープにて貼り付け、この状態で網戸用の各種網（１８メッシュ、２０メッシュ、２４メッシュ、３０メッシュ）を挟んで、上記の雄型係合素子を有する面ファスナーを押さえつけて係合させた。そして、網面の面直方向にオートグラフ（島津社製）にて引張り速度３００ｍｍ/分で引張ったときの面直剥離強力を測定した。結果は表１のとおりであった。
【００５３】
また、上記の方法で得られた取付け具を２５ｍｍにカットし、網戸用の網（１８メッシュ、２０メッシュ、２４メッシュ、３０メッシュ）に手で押し当てたときの挿入のし易さと網面から引き剥がしたときの外し易さを官能評価した結果、取り付けや取り外し時に係合素子に押しやられ、網目の目ずれが生じたが、網目に遮られることなく付け外しがし易かった。また、耐久性の評価として網戸の網面に取り付け具を取り付け、１ヶ月放置したが、雨や風による脱落或いは開け閉めによる振動での脱落等は全く生じなかった。
【００５４】
実施例２
上記実施例１において基板の表面から突出する係合素子の断面形状が２段構造の係合突起からなり、係合素子のステム列が基板上に存在しているテープを成形した。それ以外は実施例１と同様の方法によりテープ状物を製造した。
【００５５】
得られた取り付け具（雄型係合素子を有する面ファスナー）のステム高さ（Ｈ）は１．９ｍｍ、ステムの高さ方向の係合突起先端部間の距離（Ｚ）は０．５ｍｍ、係合突起の突出長（Ｓ１）は０．１２ｍｍ、１段目のステム幅（Ｄ１）は０．６ｍｍ、２段目のステム幅（Ｄ２）はＤ１より０．１ｍｍ狭く、さらにステムの列方向長さ（Ｗ）は０．３ｍｍ、係合素子列方向の係合素子間の距離（Ｓ２）は１．０ｍｍ、係合素子密度は２４個／ｃｍ２で、係合素子列１ｃｍ当たりの係合素子本数としては８本／ｃｍ、１ｃｍ当たりの係合素子列本数は３本／ｃｍである。
【００５６】
一方、ループ状係合素子を有する面ファスナーをプラスチック板（厚さ５ｍｍ、重さ２０ｇ）に両面テープにて貼り付け、この状態で網戸用の各種網（１８メッシュ、２０メッシュ、２４メッシュ、３０メッシュ）を挟んで、上記の雄型係合素子を有する面ファスナーを押し付けて面ファスナー同士を係合させ、網面の面直方向にオートグラフ（島津社製）にて引張り速度３００ｍｍ/分で引張ったときの面直剥離強力を測定した。結果は表１のとおりであった。
【００５７】
一方、上記の方法で得られた取付け具を２５ｍｍにカットし、網戸用の網（１８メッシュ、２０メッシュ、２４メッシュ、３０メッシュ）に手で押し当てたときの挿入のし易さと網面から引き剥がしたときの外し易さを官能評価した結果、取り付けや取り外し時に係合素子に押しやられ目ずれが生じたが、網目に遮られることなく付け外しがし易かった。また、耐久性の評価として網戸の網面に取り付け具を取り付け、１ヶ月放置したが、雨や風による脱落或いは開け閉めによる振動での脱落等は全く生じなかった。
【００５８】
比較例１
上記実施例１において基板の表面から突出する雄型係合素子の断面形状が１段構造の鏃からなり、係合素子のステム列が基板上に複数列存在しているテープを成形し。それ以外は実施例１と同様の方法により取付け具を製造した。
【００５９】
得られた取り付け具のステム高さ（Ｈ）は１．３ｍｍ、ステムの高さ方向の係合突起先端部間の距離（Ｚ）は０．５ｍｍ、係合突起の突出長（Ｓ１）は０．１２ｍｍ、ステム幅（Ｄ１）は０．６ｍｍ、さらにステムの列方向長さ（Ｗ）は０．３ｍｍ、係合素子列方向の係合素子間の距離（Ｓ２）は１．０ｍｍ、係合素子密度は２４個／ｃｍ２で、係合素子列１ｃｍ当たりの係合素子本数としては８本／ｃｍ、１ｃｍ当たりの係合素子列本数は３本／ｃｍである。
【００６０】
一方、ループ状係合素子を有する面ファスナーをプラスチック板（厚さ５ｍｍ・重さ２０ｇ）に両面テープにて貼り付けた状態で網戸用の各種網（１８メッシュ、２０メッシュ、２４メッシュ、３０メッシュ）を挟んで、得られた取付け具を係合させ、網面の面直方向にオートグラフ（島津社製）にて引張り速度３００ｍｍ/分で引張ったときの面直剥離強力を測定した。結果は表１のとおりであった。
【００６１】
得られた取付け具を２５ｍｍにカットし、網戸用の各種網（１８メッシュ、２０メッシュ、２４メッシュ、３０メッシュ）に手で押し当てたときの挿入のし易さと網面から引き剥がしたときの外し易さを官能評価した結果、取り付けや取り外し時に係合素子に押しやられ目ずれが生じたが、網目に遮られることなく付け外しがし易かった。また、耐久性の評価として網戸の網面に取り付け具を取り付け、１ヶ月放置したが、係合素子が１段しかなく係合力が低いため雨、風や振動によって頻繁に脱落した。
【００６２】
【表１】
2014185500.tif 000003
【００６３】
以上の結果から、基板の表面から突出する係合素子の係合突起の段数が１段は、網戸の網に極めて取り付け易いが、係合力が弱く機能性物体が脱落し易い。係合突起の段数が２段〜３段のものは高い係合力を発揮し物体が脱落し難く、且つ物体を取り付け易いことが分かる。
【００６４】
また、これら取付け具の係合剥離により網戸構成モノフィラメントが傷つけられることもなく、網戸の室内側に存在するガラス戸の開閉にも全く支障がなかった。
【符号の説明】
【００６５】
１  ：基板
２  ：ステム（係合素子）
３  ：機能性物体
４  ：網戸の網を構成するモノフィラメント
５  ：ループ面ファスナーの基布
６  ：ループ面ファスナーのループ状係合素子
Ｈ  ：係合素子高さ
Ｄ  ：ステムの茎幅
Ｗ  ：係合素子長さ
Ｘ  ：係合素子列方向
Ｙ  ：係合素子列方向に直行する方向
Ｚ  ：係合素子高さ方向の係合突起の間隔
Ｑ  ：係合素子列条間隔
Ｓ１：係合突起の突出長
Ｓ２：係合素子列方向の係合素子間距離
【図１】
2014185500.tif 000004
【図２】
2014185500.tif 000005
【図３】
2014185500.tif 000006
【図４】
2014185500.tif 000007
【図５】
2014185500.tif 000008